(57)【特許請求の範囲】
【請求項１】
接点を開閉するスイッチ操作ハンドルがスイッチの外殻の内部に回動自在に取付けられ、前記スイッチ操作ハンドルの外部からの操作により外部荷重が加わる前記スイッチ操作ハンドルの取付け部を導電性樹脂組成物で形成し、前記スイッチ操作ハンドルが前記外部荷重により変形あるいは部分的に破損する前に完全破壊して導通不可とする破壊部としたことを特徴とする配線部品。
【請求項２】
電線を接続する電線接続部は電線に接触する電線接続刃部を有する圧接端子であり、前記電線接続部の外部荷重が加わる荷重支持部は前記電線接続刃部の少なくとも一部として形成される配線部品であって、前記電線接続刃部を導電性樹脂組成物で形成し、前記電線接続部が前記外部荷重により変形あるいは部分的に破損する前に完全破壊して導通不可とする破壊部としたことを特徴とする配線部品。
【発明の詳細な説明】
【０００１】
【発明の属する技術分野】
この発明は、配線部品に関するものである。
【０００２】
【従来の技術】
従来の配線部品として、例えば実開平２−８７３８０号公報に示す速結端子台や、特開平１０−１５４４３８号公報に示すプルスイッチがある。速結端子台の場合、図１０に示すように、電線５０をカバー５１の電線挿通孔からボディ５２の電線挿入孔に挿入し、ボディ５１に収納した速結端子５３に結線するようにしてある。また、プルスイッチの場合、固定接片に接触する回転接触子を回転体により回転させて接点を開閉する。
【０００３】
【発明が解決しようとする課題】
従来の金属で構成された配線部品で問題となるのは、配線部品が外力負担や金属疲労等により変形あるいは部分的に破壊している状態でも導通不良が発生せず、前記状態のまま配線部品として長期間使用されている場合である。上記従来例の場合では、速結端子や回転体に大きな外部荷重が加わると変形あるいは破壊する。このような状態で配線部品を使用し続けた場合、前記配線部品から発火、火災などを引き起こす可能性があり、安全性に問題があった。
【０００４】
したがって、この発明の目的は、前記問題点を解決するもので、外部からある一定の荷重が負荷された場合に、配線部品が部分的に破損している状態で使用し続けることがなく、安全性に優れた配線部品を提供することである。
【０００５】
【課題を解決するための手段】
上記課題を解決するためにこの発明の請求項１記載の配線部品は、接点を開閉するスイッチ操作ハンドルがスイッチの外殻の内部に回動自在に取付けられ、前記スイッチ操作ハンドルの外部からの操作により外部荷重が加わる前記スイッチ操作ハンドルの取付け部を導電性樹脂組成物で形成し、前記スイッチ操作ハンドルが前記外部荷重により変形あるいは部分的に破損する前に完全破壊して導通不可とする破壊部とした。
【０００６】
このように、接点を開閉するスイッチ操作ハンドルがスイッチの外殻の内部に回動自在に取付けられ、前記スイッチ操作ハンドルの外部からの操作により外部荷重が加わる前記スイッチ操作ハンドルの取付け部を導電性樹脂組成物で形成し、前記スイッチ操作ハンドルが前記外部荷重により変形あるいは部分的に破損する前に完全破壊して導通不可とする破壊部としたので、通常通電時は安定した通電性能を確保しつつ、万一許容範囲を超える大きな外力が加えられた場合は完全破壊して導通不可となり中途半端な状態で使用できず安全である。この場合、スイッチ操作ハンドルがストッパに当たりさらに外力がかかり続けるとハンドルの取付け部が破壊する。また、導電性樹脂組成物にて構成したので、従来の金属材料と比較して形状の自由度が高い。
【００１０】
請求項２記載の配線部品は、電線を接続する電線接続部は電線に接触する電線接続刃部を有する圧接端子であり、前記電線接続部の外部荷重が加わる荷重支持部は前記電線接続刃部の少なくとも一部として形成される配線部品であって、前記電線接続刃部を導電性樹脂組成物で形成し、前記電線接続部が前記外部荷重により変形あるいは部分的に破損する前に完全破壊して導通不可とする破壊部とした。これにより、通常通電時は安定した通電性能を確保しつつ、万一許容範囲を超える大きな外力が加えられた場合は完全破壊して導通不可となり中途半端な状態で使用できず安全である。すなわち、電線に超大な外力が加えられた場合に、電線接続刃部が破壊し電線が抜ける。また、電線接続刃部を導電性樹脂組成物としたことにより、所望の形状に精度よく形成できる。
【００１２】
【発明の実施の形態】
この発明の第１の実施の形態を図１ないし図４に基づいて説明する。図１はこの発明の第１の実施の形態の配線部品を有するプルスイッチの分解斜視図、図２はその組立状態の斜視図、図３は第１の実施の形態の配線部品であるハンドル部品の正面図である。
【００１３】
図１および図２に示すように、このプルスイッチは、ボディ１とカバー２で外殻が形成され、ボディ１の内部に、心棒３、固定接点４、段座５、段車（回転可動接点）６、配線部品であるスイッチ操作ハンドル７、端子板８、スプリング９を備えている。そして、ボディ１より引き出される引き輪１０によりハンドル７が操作され、段車６を回転させることでその可動接点と固定接点４を開閉できるように構成してある。
【００１４】
また、ハンドル７は、接点を開閉する外部からの操作部１１の外部荷重が加わる荷重支持部に、許容範囲以上の外力により破壊する破壊部を導電性樹脂組成物で形成した。この場合、図３に示すように、操作部１１は絶縁材料により形成され、引き輪１０が取付けられてスイッチ操作ハンドル７を操作する。また、荷重支持部はハンドル取付け部１２であり、段車６を回転させるための送り爪１３を有し、導電性樹脂組成物により形成される。スイッチ組立状態では、操作部１１の回転方向動作により送り爪１３が段車６に係合し段車６を回転させる。
【００１５】
ここで、熱可塑性導電性樹脂組成物について説明する。導電性樹脂組成物は、少なくとも熱可塑性樹脂、金属粉末または金属繊維、鉛フリーはんだ等の低融点金属から構成され、これらの材料を予め溶融混練したものから構成されいている。
【００１６】
なお、この導電性樹脂組成物が有する体積固有抵抗値は導電物質（金属粉末または金属繊維、低融点金属）の配合割合により可変である。我々の検討結果では、熱可塑性樹脂４５ｖｏｌ％、金属粉末または金属繊維４０ｖｏｌ％、低融点金属１５ｖｏｌ％の割合で混入した場合、体積固有抵抗値が１．０×１０-5Ω・ｃｍ以下の導電性樹脂組成物が得られることが判明しているが、特にこの配合割合に限られるものではない。
【００１７】
また、ここで述べる熱可塑性樹脂は、特に限定するものではない。
【００１８】
金属粉末または金属繊維の材質は銅（Ｃｕ）、ニッケル（Ｎｉ）、鉄（Ｆｅ）、アルミニウム（Ａｌ）など、及びそれらの合金が挙げられるが特に限定されるものではない。
【００１９】
低融点金属としてはスズ（Ｓｎ）、ビスマス（Ｂｉ）、亜鉛（Ｚｎ）、最も好ましくはＳｎ−Ｃｕ，Ｓｎ−Ｚｎなどの低融点合金が挙げられるが特に限定されるものではない。
【００２０】
この実施の形態で使用した具体的な導電性樹脂組成物は下記の通りである。
【００２１】
導電性樹脂組成物の内容：
ａ）熱可塑性樹脂；ＰＢＴ樹脂（ジュラネックス７５１ＳＡ、ポリプラスチックス（株）製）
ｂ）銅粉末；ＦＣＣ−１１５、福田金属箔粉工業（株）製
ｃ）鉛フリーはんだ；Ｓｎ−Ｃｕ−Ｎｉ−ＡｔＷ−１５０、福田金属箔粉工業（株）製
材料組成：上記ａ）４５ｖｏｌ％，ｂ）４０ｖｏｌ％，ｃ）１５ｖｏｌ％で構成
体積固有抵抗値：１．０×１０-5Ω・ｃｍ
なお、上記材料の引張強度は約３０ＭＰａ、曲げ強度は約６０ＭＰａであり、この値を超えた外力が負荷されると導電性樹脂組成物で構成された配線部品は、破断、破壊する。
この導電性樹脂組成物を所望する形状に賦形する手法としては射出成形方法、圧縮成形方法などがあげられるが、形状をより精度よく再現でき、かつ生産性が高いことから射出成形方法が一般的に用いられている。この実施の形態では、導電性樹脂組成物を射出成形方法により所定の形状に賦形した。
【００２２】
この実施の形態で使用した具体的な射出成形装置は下記の通りである。
【００２３】
射出成形装置：射出成形機（ＦＥ１２０，日精樹脂工業（株））
次に上記構成の作用について説明する。図４（ａ）は第１の実施の形態においてスイッチ非操作状態の説明図、（ｂ）はスイッチ操作状態の説明図である。図４（ａ）に示す状態から引き輪１０を引っ張りスイッチ操作する。図４（ｂ）に示すように、ハンドル７が下死点まで回動するとストッパ１４に当たり、回動停止する。さらに外力がかかり続けるとハンドル取付け部１２が破壊する。１５は破壊部を示す。
【００２４】
この実施の形態によれば、通常通電時は安定した通電性能を確保しつつ、万一許容範囲を超える大きな外力が加えられた場合は完全破壊して導通不可となり中途半端な状態で使用できず安全である。また、導電性樹脂組成物にて構成したので、従来の金属材料と比較して形状の自由度が高い。
【００２５】
この発明の参考例１を図５および図６に基づいて説明する。図５はこの発明の参考例１の配線部品を有する電源端子台の分解斜視図である。
【００２６】
図５に示すように、この電源端子台は、ボディ１６とカバー１７、ボディ１６に収納される一対の配線部品１８，１８とアース電線部品１９、およびアース端子板２０を備えている。ボディ１６の側面には、器具内電線挿入孔２１が設けられ、これに隣接して配線部品１８を収納する収納部１６ａが形成してある。また、ボディ１６の器具内電線挿入孔２１と対応するようにカバー１７の側面に器具内電線挿入孔２２が設けてある。カバー１７の上面には、電源電線挿入孔２３が設けてある。
【００２７】
配線部品１８は、電線を接続する電線接続部の外部荷重が加わる荷重支持部に、許容範囲以上の外力により破壊する破壊部を導電性樹脂組成物で形成した。電線接続部は電線に接触する電線鎖錠ばね２５ａを有する器具内電線用速結端子２５であり、荷重支持部は電線鎖錠ばね２５ａの少なくとも一部として形成される。この場合、導電板２４の一端に器具内電線用速結端子２５を有し、その電線鎖錠ばね（斜線部）２５ａが導電性樹脂組成物で形成されている。また、導電板２４の他端側に電源電線用速結端子２６が形成してある。配線部品１８の装着状態では、ボディ１６の収納部１６ａに収納される。また、アース電線部品１９は、アース電線用速結端子２７を有し、ボディ１６に配線部品１８と並んで収納される。また、導電性樹脂組成物およびその製造方法については第１の実施の形態と同様である。
【００２８】
次に上記構成の作用について説明する。図６は参考例１の作用説明図である。図６に示すように、電源端子台を取付爪２９により取付板２８に取付け、ボディ１６とカバー１７の器具内電線挿入孔２１，２２に器具内電線３０を挿入し器具内電線用速結端子２５に接続し、カバー１７の電源電線挿入孔２３に電源電線３０′を挿入し電源電線用速結端子２６に接続する。そして、器具内電線３０に超大な外力が加えられた場合に、器具内電線用速結端子２５の電線鎖錠ばねが破壊し電線３０が抜ける。３１が破壊部である。
【００２９】
この参考例においても第１の実施の形態と同様の効果が得られる。なお、荷重支持部は電線鎖錠ばねの先端部に形成してもよい。
【００３０】
この発明の第２の実施の形態を図７ないし図９に基づいて説明する。図７はこの発明の第２の実施の形態の配線部品を有する電源端子台の分解斜視図、図８は第２の実施の形態の配線部品の斜視図である。
【００３１】
図７に示すように、この電源端子台は、ボディ３２とカバー３３、ボディ３２に収納される一対の配線部品３４，３４とアース電線部品３５、およびアース端子板３６を備えている。ボディ３２には配線部品３４を収納する収納部３２ａが形成してある。また、カバー３３の側面に器具内電線挿入部３７が設けてある。カバー３３の上面には、電源電線挿入孔３８が設けてある。
【００３２】
配線部品３４は、電線を接続する電線接続部の外部荷重が加わる荷重支持部に、許容範囲以上の外力により破壊する破壊部を導電性樹脂組成物で形成した。電線接続部は電線に接触する電線接続刃部３９ａを有する圧接端子３９であり、荷重支持部は電線接続刃部３９ａの少なくとも一部として形成される。この場合、図８に示すように、導電板４０の一端に圧接端子３９を有し、その電線接続刃部３９ａが導電性樹脂組成物で形成されている。圧接端子３９に接続される電線４３は器具内電線挿入部３７の上方から挿入されて電線接続刃部３９ａによって電線被覆部が切断されることで導通状態となる。また、導電板４０の他端側に電源電線用速結端子４１が形成してある。配線部品３４の装着状態では、ボディ３２の収納部３２ａに収納される。また、アース電線部品３５は、アース電線用速結端子４２を有し、ボディ３２に配線部品３４と並んで収納される。また、導電性樹脂組成物およびその製造方法については第１の実施の形態と同様である。
【００３３】
次に上記構成の作用について説明する。図９は第２の実施の形態の作用説明図である。上記のように電線４３が圧接端子３９に接続された状態において、図８の矢印の方向に超大な外力を受けた場合、図９に示すように、電線接続刃部３９ａが破壊し電線４３が抜ける。４４は破壊部である。
【００３４】
この実施の形態においても第１の実施の形態と同様の効果が得られる。
【００３５】
【発明の効果】
この発明の請求項１記載の配線部品によれば、接点を開閉するスイッチ操作ハンドルがスイッチの外殻の内部に回動自在に取付けられ、前記スイッチ操作ハンドルの外部からの操作により外部荷重が加わる前記スイッチ操作ハンドルの取付け部を導電性樹脂組成物で形成し、前記スイッチ操作ハンドルが前記外部荷重により変形あるいは部分的に破損する前に完全破壊して導通不可とする破壊部としたので、通常通電時は安定した通電性能を確保しつつ、万一許容範囲を超える大きな外力が加えられた場合は完全破壊して導通不可となり中途半端な状態で使用できず安全である。この場合、スイッチ操作ハンドルがストッパに当たりさらに外力がかかり続けるとハンドルの取付け部が破壊する。また、導電性樹脂組成物にて構成したので、従来の金属材料と比較して形状の自由度が高い。
【００３９】
この発明の請求項２記載の配線部品によれば、電線を接続する電線接続部は電線に接触する電線接続刃部を有する圧接端子であり、前記電線接続部の外部荷重が加わる荷重支持部は電線接続刃部の少なくとも一部として形成される配線部品であって、前記電線接続刃部を導電性樹脂組成物で形成し、前記電線接続部が前記外部荷重により変形あるいは部分的に破損する前に完全破壊して導通不可とする破壊部としたので、通常通電時は安定した通電性能を確保しつつ、万一許容範囲を超える大きな外力が加えられた場合は完全破壊して導通不可となり中途半端な状態で使用できず安全である。すなわち、電線に超大な外力が加えられた場合に、電線接続刃部が破壊し電線が抜ける。また、電線接続刃部を導電性樹脂組成物としたことにより、所望の形状に精度よく形成できる。
【図面の簡単な説明】
【図１】この発明の第１の実施の形態の配線部品を有するプルスイッチの分解斜視図である。
【図２】図１の組立状態の斜視図である。
【図３】第１の実施の形態の配線部品であるハンドル部品の正面図である。
【図４】（ａ）は第１の実施の形態においてスイッチ非操作状態の説明図、（ｂ）はスイッチ操作状態の説明図である。
【図５】この発明の参考例１の配線部品を有する電源端子台の分解斜視図である。
【図６】参考例１の作用説明図である。
【図７】この発明の第２の実施の形態の配線部品を有する電源端子台の分解斜視図である。
【図８】第２の実施の形態の配線部品の斜視図である。
【図９】第２の実施の形態の作用説明図である。
【図１０】従来例の電源端子台の断面図である。
【符号の説明】
７  ハンドル
１１  操作部
１２  ハンドル取付け部
１５  破壊部
１８  配線部品
２５  器具内電線用速結端子
２５ａ  電線鎖錠ばね
３１  破壊部
３４  配線部品
３９  圧接端子
３９ａ  電線接続刃部
４４  破壊部
【図１】
0003838861.tif 000002
【図２】
0003838861.tif 000003
【図３】
0003838861.tif 000004
【図４】
0003838861.tif 000005
【図５】
0003838861.tif 000006
【図６】
0003838861.tif 000007
【図７】
0003838861.tif 000008
【図８】
0003838861.tif 000009
【図９】
0003838861.tif 000010
【図１０】
0003838861.tif 000011